(57)【要約】      （修正有）【課題】交絡処理時の排出空気の糸条走行方向の上流側への流れが少なく、毛羽や弛みによる糸ダメージを起こしにくい流体交絡付与装置の提供。【解決手段】噴射孔面の中心軸が交差する２つの流体噴射孔１５から噴射された流体によって糸道部にて糸条に交絡を付与するマルチフィラメント糸の交絡処付与装置１において、噴射孔面および／または対向壁面には、流体噴射孔よりも糸条走行方向の上流側に、交絡処理装置の外部空間と連通する排気穴１８が設けられ、２つの流体噴射孔の中心軸を含む平面の中で、２つの流体噴射孔の内側の稜線、噴射孔面及び対向壁面に囲まれた領域、又は２つの流体噴射孔の内側の稜線および噴射孔面に囲まれた領域の重心点Ｇ1から糸条走行方向の上流側へ引いた糸条走行方向に平行な線ＣＤを、噴射孔面及び／又は対向壁面の排気穴の輪郭線を通る平面へ投影した線ＣＤ’が、排気穴の輪郭線の内側の領域を通過する交絡付与装置１。【選択図】図１
2018127737.tif 000002
【特許請求の範囲】
【請求項１】
糸条が通過する糸道部と、前記糸道部を挟んで互いに向かい合う噴射孔面および対向壁面とからなり、前記噴射孔面には２つの流体噴射孔が開口し、前記流体噴射孔の中心軸が交差し、前記流体噴射孔から噴射された流体によって前記糸道部にて糸条に交絡を付与するマルチフィラメント糸の交絡付与装置において、
前記噴射孔面および／または前記対向壁面には、前記流体噴射孔よりも糸条走行方向の上流側に、前記交絡付与装置の外部空間と連通する排気穴が設けられ、
２つの前記流体噴射孔の中心軸を含む平面の中で、２つの流体噴射孔の内側の稜線、噴射孔面および対向壁面に囲まれた領域、又は２つの流体噴射孔の内側の稜線および噴射孔面に囲まれた領域の重心点をＧ1とし、
前記重心点Ｇ1から糸条走行方向の上流側へ引いた糸条走行方向に平行な線ＣＤとして、前記線ＣＤを、前記噴射孔面および／または前記対向壁面の前記排気穴の輪郭線を通る平面へ投影した線ＣＤ’が、前記排気穴の輪郭線の内側の領域を通過する、マルチフィラメント糸の交絡付与装置。
【請求項２】
前記排気穴の輪郭線と線ＣＤ’との交点の中で前記重心点Ｇ１に近接した側の点と、前記重心点Ｇ１との距離Ｔ２が、以下の式（１）を満たす、請求項１のマルチフィラメント糸の交絡付与装置。
（１）  ０．６≦Ｔ２／Ｄ１≦１．４
Ｄ１：噴射孔面および／または対向壁面での排気穴の孔径
【請求項３】
請求項１または２のマルチフィラメント糸の交絡付与装置を用いて糸条に交絡を付与することで、交絡が付与された合成繊維を製造する、合成繊維の製造方法。
【発明の詳細な説明】
【技術分野】
【０００１】
本発明は、糸条の交絡付与装置およびそれを用いた合成繊維の製造方法に関する。
【背景技術】
【０００２】
従来、合成繊維の製造工程において、糸条に圧縮流体を噴射することで単糸同士に絡まりを生じさせ、交絡部と開繊部を形成し、集束性を付与した糸条は交絡糸として広く知られている。これらの交絡糸を形成する糸条交絡付与装置として、これまで様々なものが提案されている。
【０００３】
特許文献１には、糸道部の糸条走行方向に垂直な断面における面積が最も小さくなる絞り部を有し、その断面積が絞り部から糸道部の糸条の出入り口部に向かってなだらかに拡大している交絡付与装置が開示されている。絞り部を設けることにより、糸条走行方向と反対方向に流れる流体を塞き止め、糸条走行方向に流体を積極的に流すことができ、糸の弛みによる単糸繊維の糸道壁面への擦過による毛羽を抑制できる。また、断面積がなだらかに拡大していることから、供給された流体が、出口部側に向かって整流されるため、乱流による糸乱れを抑制し、その結果、毛羽や弛みを抑制できる。
【０００４】
特許文献２には、糸条走行方向に垂直な断面が、円形もしくは長円状の糸道部を有し、その両端には、流体を外部に導出する放出孔が設置されており、この放出孔が糸条走行方向に並行に配置された交絡付与装置が開示されている。これにより、糸道をセンターに確実に固定できる。また、供給された流体の排出が、放出孔からバランス良く実施できる。また、ループ発生の原因となる乱流、特に糸条の走行方向に垂直な流体作用を軽減できる。
【先行技術文献】
【特許文献】
【０００５】
【特許文献１】特開２０１３−２２７７１１号公報
【特許文献２】特開平５−３３２３５号公報
【発明の概要】
【発明が解決しようとする課題】
【０００６】
しかしながら、特許文献１に開示されている交絡付与装置では、本発明者らの知見によると、高い噴射圧の場合では、糸条が走行している糸道部の流路形状を変更することから、急激な流速低下による圧力変動を起こしやすくなり、その結果、交絡性能が低下し、安定して交絡を付与することが難しくなる場合がある。また、糸条がその流体の変動によって振動しやすくなるため、ノズル内部の壁面と衝突し、糸のダメージが大きくなる場合がある。
【０００７】
また、特許文献２に開示されている交絡付与装置では、本発明者らの知見によると、糸条の入口側と出口側に配置される放出孔は、糸条の走行方向と平行に配置されているため、走行糸の近傍において、走行方向と反対の流れが生じやすくなり、糸弛みが生じる場合がある。また、糸道部の両端に絞り部を設けていることから、流体の速度が急激に低下し、糸走行速度との差が発生し、糸弛みが生じる場合がある。また、両端部の壁面に流体が衝突することから、気流乱れが発生し、毛羽が発生する場合がある。
【０００８】
本発明は、上記の課題を鑑み、低い噴射圧から高い噴射圧の広範囲での処理圧力においても糸条の毛羽や弛みなどの糸ダメージを起こしにくい流体交絡付与装置を提供する。
【課題を解決するための手段】
【０００９】
上記課題を解決する本発明のマルチフィラメント糸の交絡付与装置は、糸条が通過する糸道部と、前記糸道部を挟んで互いに向かい合う噴射孔面および対向壁面とからなり、前記噴射孔面には２つの流体噴射孔が開口し、前記流体噴射孔の中心軸が交差し、前記流体噴射孔から噴射された流体によって前記糸道部にて糸条に交絡を付与するマルチフィラメント糸の交絡付与装置において、
前記噴射孔面および／または前記対向壁面には、前記流体噴射孔よりも糸条走行方向の上流側に、前記交絡付与装置の外部空間と連通する排気穴が設けられ、
２つの前記流体噴射孔の中心軸を含む平面の中で、２つの流体噴射孔の内側の稜線、噴射孔面および対向壁面に囲まれた領域、又は２つの流体噴射孔の内側の稜線および噴射孔面に囲まれた領域の重心点をＧ1とし、
前記重心点Ｇ1から糸条走行方向の上流側へ引いた糸条走行方向に平行な線ＣＤとして、前記線ＣＤを、前記噴射孔面および／または前記対向壁面の前記排気穴の輪郭線を通る平面へ投影した線ＣＤ’が、前記排気穴の輪郭線の内側の領域を通過している。  本発明のマルチフィラメット糸の交絡付与装置は、前記排気穴の輪郭線と線ＣＤ’との交点の中で前記重心点Ｇ１に近接した側の点と、前記重心点Ｇ１との距離Ｔ２が、以下の式（１）を満たすことが好ましい。
（１）  ０．６≦Ｔ２／Ｄ１≦１．４
Ｄ１：噴射孔面および／または対向壁面での排気穴の孔径。
【００１０】
本発明の合成繊維の製造方法は、本発明のマルチフィラメント糸の糸条の交絡付与装置を用いて糸条に交絡を付与することで、交絡が付与された合成繊維を製造する。
【００１１】
本発明の流体噴射孔の中心軸とは、流体噴射孔の断面が丸形状であれば、その中心を通る軸線とし、断面が楕円形状であれば、流体噴射孔の輪郭線に接する外接円の中心を通る軸線とする。
【００１２】
本発明の排気穴の孔径とは、排気穴が丸形状であれば、排気穴の輪郭線を形成する径であり、楕円形状であれば、排気穴の輪郭線に接する外接円の外径とする。
本発明の糸条走行方向の上流側とは、糸条走行方向とは反対の方向の側とする。
【発明の効果】
【００１３】
本発明のマルチフィラメント糸の交絡付与装置を用いれば、走行糸の近傍において、糸条走行方向と反対に向かう流体の流れを抑制することにより、糸条の毛羽や弛みなどの糸ダメージを防止でき、かつ低い噴射圧から高い噴射圧の流体での処理においても交絡の付与が可能となる。
【図面の簡単な説明】
【００１４】
【図１】本発明の実施形態に用いられる糸条の交絡付与装置の構造を概略的に示した斜視図である。
【図２】図１のＺ方向から見た噴射孔面を示す図である。
【図３】図１の中心軸ＣＡ、ＣＢを含む平面にて切断した断面図である。
【図４】図３の糸道通過部の拡大図である。
【図５】本発明の別の実施形態に用いられる糸条の交絡装置の概略図であり、噴射孔面に中央溝があり、かつ排気穴と中央溝とが連通した構成の概略図である。
【図６】図５のＺ方向から見た噴射孔面を示す図である。
【図７】図５における中心軸ＣＡ、ＣＢを含む平面にて切断した断面図である。
【図８】図７の糸道通過部の拡大図である。
【図９】噴射壁面に排気穴がある場合の一例を示す図である。
【図１０】図１のX方向から見た、噴射壁面に廃棄穴が１つある場合の排気穴の流路の一例を示す図である。
【図１１】ポリエチレンテレフタレートマルチフィラメント糸を溶融紡糸して交絡処理に供して交絡マルチフィラメント糸を製造するプロセスの１例をモデル的に示した図である。
【図１２】本発明にかかる交絡付与装置の糸条の入口側の排気圧力Ｐ１と出口側の排気圧力Ｐ２の測定方法を説明する概略図である。
【発明を実施するための形態】
【００１５】
以下、図面を参照しながら本発明の実施形態について詳細に説明する。図１は、本発明の実施形態に用いられる糸条の交絡付与装置の概略図であり、図２は図１のＺ方向から見た噴射孔面を示す図であり、図３は図１の中心軸ＣＡ、ＣＢを含む平面にて切断した断面図であり、図４は図３の糸道通過部の拡大図である。本発明の糸条の交絡付与装置１は、流体供給部１１、流体噴射ノズル部材１２、側板部材１３およびスペーサ１４で構成されている。そして、流体噴射ノズル部材１２、側板部材１３およびスペーサ１４を組み合わせることで、糸条が通過して糸条に交絡を付与する糸道部１７と、糸道部１７と外部とを連通して糸道部１７に糸条を導入するためのスリット部１６とが、交絡付与装置１の内部に形成されている。流体噴射ノズル部材１２のスリット部１６側の面が噴射孔面２１、側板部材１３のスリット部１６側の面が対向壁面２２となる。なお、噴射孔面２１や対向壁面２２の形状が平面ではなく、凹凸や湾曲している場合には、その凹凸もしくは湾曲部における粗さ曲線の平均線を平均値平面とし噴射孔面２１、対向壁面２２とする。
【００１６】
流体噴射ノズル部材１２には、スリット部１６に開口し、走行する糸条に流体を噴射する２つの流体噴射孔１５が形成されている。この２つの流体噴射孔１５は、中心軸ＣＡと中心軸ＣＢとが交わるように形成されている。なお、中心軸ＣＡと中心軸ＣＢとは、対向壁面２２に達する前に交わっていてもよい。流体噴射孔１５の形状は円または楕円となるように設計されているのが好ましく、製作誤差の範囲内で多少円や楕円形状から外れていてもよい。中心軸ＣＡとＣＢは、図２に示すように糸条の走行方向と直角に交差していてもよく、糸条走行方向に傾いていてもよい。
【００１７】
図４を参照して、糸道部１７について更に詳しく説明する。糸道部１７は、２つの流体噴射孔１５の内側の稜線を、中心軸ＣＡと中心軸ＣＢと平行になるように対向壁面２２に向かって延長した仮想線、噴射孔面２１及び対向壁面２２に囲まれた領域の糸条走行方向に延在する空間のことである。また、２つの流体噴射孔１５の内側の稜線が対向壁面２２に達する前に交差する場合は、２つの流体噴射孔１５の内側の稜線を、中心軸ＣＡと中心軸ＣＢと平行になるように対向壁面２２に向かって延長した仮想線、および噴射孔面２１に囲まれた領域の糸条走行方向に延在する空間のことである。この糸道部１７の空間を糸条が通過し、糸条が弦振動挙動を起こして交絡が施される。
【００１８】
糸道部１７の形状については、２つの流体噴射孔の配置や角度、または噴射孔面２１や対向壁面２２の組み合わせによって、三角、四角、六角形などだけでなく、噴射孔面２１や対向壁面２２に球面がある場合などあらゆる形状であってもよい。また、噴射孔面２１や対向壁面２２が流体噴射孔１５の付近から糸条走行方向に向かって拡大していくなどさまざまな形状であってもよい。
【００１９】
ここで、本発明の重要なポイントである、走行糸の近傍において、糸条走行方向と反対に向かう流体の流れを抑制することができる原理について説明する。
【００２０】
噴射孔面２１もしくは対向壁面２２、又は噴射孔面２１と対向壁面２２の双方には、排気穴１８が設けられており、流体噴射孔１５から噴射された流体が、糸道部１７を通過して糸条走行方向の上流側に流れることを抑制することができる。
【００２１】
さらに、排気穴１８の配置は、糸道部１７の重心点をＧ１、重心点Ｇ１から糸条走行方向の上流側へ引いた糸条走行方向に平行な線を線ＣＤとし、線ＣＤを、噴射孔面２１および／または対向壁面２２の排気穴１８の輪郭線を通る平面へ投影した線を線ＣＤ’とした場合、排気穴１８は、排気穴１８の輪郭線の内側の領域を線ＣＤ’が通過するように配置されている。なお、糸道部１７は、重心点Ｇ１を起点にして糸条の入口側、および出口側までの距離が同じ長さであってもよく、また、入口側までの距離が出口側までの距離よりも長くてもよく、その反対に、入口側までの距離が出口側までの距離よりも短くてもよい。このような配置とすることで、排気穴１８を設けない場合に比べて、流体噴射孔１５から噴出される流体が、走行する糸条Ｙに沿って流れることを抑制し、流体が適切に排気穴１８に導かれ、排気穴１８の流路を通じて外部空間に排出する。また、流体噴射孔１５から噴出される流体によって開繊した糸条Ｙの単糸のうち、流体噴射孔１５よりも糸条走行方向の上流側の単糸は、排気穴１８が設けられていることにより、糸道部での壁面に接触する機会が減少する。
【００２２】
その結果、流体の糸条走行方向の上流側への流れによる糸条の毛羽や弛み、単糸切れなど糸条への損傷や、単糸の壁面接触が少なくなり、低い噴射圧力での処理はもとより、高い噴射圧力での処理においても交絡を付与することができる。また、スリット部１６には、流路の急縮小、急拡大等が無いため、流速の変動が小さくできるため、糸揺れを抑制し、壁面接触を低減できる。更には、スリット部１６には、流体の流れを阻害する障害物が無いため、気流乱れを極小化できることから、糸揺れを抑制できる。
【００２３】
ここで、排気穴１８の輪郭線の外側の領域を線ＣＤ’が通過する場合には、糸道部１７と排気穴１８とが離れて配置されるため、走行する糸条が排気穴１８から排出される流体の流れに引っ張られた際に、排気穴１８と糸道部１７との境目であるエッジ部や、排気穴１８を設けた壁面と糸とが接触し、交絡の抜けや不均一な交絡付与や、エッジ部で糸の引っ掛かりによる糸切れが発生する場合がある。また、エッジ部や糸道部の壁面に糸が接触することで、単糸切れや、単糸のささくれ、めくれを発生しやすく、糸ダメージとなって糸の品位が低下する場合がある。
【００２４】
また、図２に示すように、排気穴１８の輪郭線と線ＣＤ’との交点の中で重心点Ｇ１に近接した側の点と、重心点Ｇ１との距離をＴ２としたとき、距離Ｔ２と排気穴１８の孔径Ｄ１とが、以下の式を満たすことが好ましい。
０．６≦Ｔ２／Ｄ１≦１．４。
【００２５】
ここで、Ｔ２／Ｄ１とは、排気穴１８の孔径と比べた流体噴射孔１５と排気穴１８との間の領域の相対的な広さを意味している。Ｔ２／Ｄ１が大きいほど、流体噴射孔１５と排気穴１８との間の領域が広くなるので、糸条の挙動領域が広くなり交絡数は増加するが、一方で、走行糸が壁面に接触する確率が増えて毛羽は増加する。逆に、Ｔ２／Ｄ１が小さいほど、流体噴射孔１５と排気穴１８との間の領域が狭くなるので、走行糸が壁面に接触する確率が減って毛羽は抑制できるが、一方で、糸条の挙動領域が狭くなるので交絡数は減少する。Ｔ２／Ｄ１が０．６以上１．４以下の範囲であれば、流体噴射孔１５と排気穴１８との間の領域が適切な広さとなり、従来は相反する関係であった糸ダメージの低減（毛羽の抑制）と、糸条の交絡付与を両立できる。
【００２６】
次に、噴射壁面２１での排気穴１８の形態について、詳細を説明する。図９には、噴射壁面２１に排気穴１８が形成された様々な形態が図示されている。排気穴１８は、線ＣＤ’が排気穴１８の輪郭線の内側の領域を通過する位置に少なくとも一つ設けられていればよく、排気穴１８の形状や数などは特に限定はされない。図９の（ｂ）、（ｄ）に示すように異形状であってもよく、また、図９の（ｃ）、（ｅ）に示すように、複数個が配置されていてもよい。この場合、線ＣＤ’を軸として、対象の形状とすることで、気流乱れを抑制できる。
【００２７】
次に、排気穴１８の流路形状について、詳細を説明する。図１０には、噴射壁面２１に排気穴１８が１つ形成された様々な流路形態が図示されている。排気穴１８の重心点から交絡処理装置の外部空間と連通する排出空気の流路の中心軸を線ＣＥとする。排気穴１８の流路は、流体噴射孔１５や、流体供給路２０と連通していなければよく、流路の形状や数は、特に限定はされていない。図１０の（ａ）、（ｂ）に示すように、排気穴１８は、流体噴射ノズル部材１２の側面（糸走行方向の上流側の面）にまで貫通していてもよく、また、図１０の（ｃ）に示すように、流体噴射ノズル部材１２の上面にまで貫通していてもよく、また、図１０の（ｄ）に示すように、流体噴射ノズル部材１２の背面（噴射孔面２１の反対側の面）にまで貫通していてもよい。図１０の（ｃ）の場合、線ＣＥは糸条の走行軸Ｙに対して垂直に交わっている。また、図１０の（e）、（f）に示すように、上面と側面との角部にまで貫通していてもよい。また、流路形状は、断面積が一定の円筒形状でもよいが、図１０（e）に示すように、断面積が漸増する円錐形状でもよい。また、図１０（ｆ）に示すように、断面積が段階的の漸増した形状でもよい。
【００２８】
次に、本発明の別の実施形態に用いられる糸条の交絡付与装置について、図５、６、７、８を参照して説明する。本発明の糸条の交絡付与装置１は、噴射孔壁面２１及び／または対向壁面２２に、糸条走行方向に沿って延在する中央溝２３を有することが好ましい。中央溝２３は、図６に示すように、糸条走行方向の上流側の糸道部開始地点から距離Ｔを経た位置から始まり、下流側の糸道部の終了地点まで到達している。そして、この中央溝２３と排気穴１８とは連通している。
【００２９】
ここで、距離Ｔは、糸道部の全長をＬとした場合に、Ｌ／１０≦Ｔ≦Ｌ／２であることが好ましい。ＴがＬ／１０以上であると、糸条走行方向の上流側における噴射孔面２１と対向壁面２２との間隔が短い領域を一定の長さ確保できるので、糸条走行方向の上流側に流れる流体を抑制することができる。その結果、糸条走行方向の上流側への糸条の移動をより効果的に抑制できる。その結果、糸条の弛みや糸条走行方向の上流側の噴射孔面２１や対向壁面２１との糸条の擦過をより減らせ、毛羽や単糸切れなどの損傷をさらに減らすことができる。また、ＴがＬ／２以下であると、中央溝２３の領域を一定の長さ確保できるので、交絡付与した際の糸条の挙動領域を広くでき、単糸各々の挙動範囲が大きくなり、より均一な交絡付与や交絡数の増加や単糸各々の集束部の結束が強い交絡形態を実現できる。
【００３０】
図１１は、後述の実施例で使用したポリエチレンテレフタレートマルチフィラメント糸を溶融紡糸して流体交絡付与に供して流体交絡マルチフィラメント糸を製造するプロセスの概略図である。給油ガイド３１は、図示していない紡糸口金より紡出されたマルチフィラメント糸の工程通過性を向上させるために油剤を付与するものである。第１ホットローラユニット３２、第２ホットローラユニット３３は、３，０００ｍ／分前後の引き取り速度においてマルチフィラメント糸を延伸し搬送するもので、巻取機３４は、延伸し搬送されたマルチフィラメント糸を巻き取る巻きものである。
【００３１】
次に、本発明の糸条の交絡付与装置によって得られるマルチフィラメント糸とは、単成分ポリマーからなる繊維であってもよいが、２種類以上のポリマーが組み合わされた繊維であってもよい。ここで、本発明で言う２種類以上のポリマーとは、例えば、ポリエステル、ポリアミド、ポリフェニレンサルファイド、ポリオレフィン、ポリエチレン、ポリプロピレン等々の分子構造が異なるポリマーを２種類以上使用するということが含まれるのは言うまでもないが、製糸安定性等を損なわない範囲で、二酸化チタン等の艶消し剤、酸化ケイ素、カオリン、着色防止剤、安定剤、抗酸化剤、消臭剤、難燃剤、糸摩擦低減剤、着色顔料、表面改質剤等の各種機能性粒子や有機化合物等の添加剤や粒子の添加量が異なること、また、分子量が異なること、あるいは、共重合がなされている等などが含まれる。
【００３２】
また、本発明の糸条の交絡付与装置によって得られるマルチフィラメント糸の単糸の断面は、丸形状はもとより、三角、扁平等の丸形以外の形状や中空であってもよく、丸断面の異形断面の混繊糸であってもよい。また、本発明は、極めて汎用性の高い発明であり、単糸繊度により特に限られるものではなく、単糸数により特に限られるものではなく、さらには、糸条数により特に限られるものでも無く、１糸条であってもよく、２糸条以上の多糸条であってもよい。
【００３３】
次に、本発明で用いられる流体は、圧縮空気が最も好ましいがこの限りでは無く、非圧縮の空気であってもよく、また、スチームや窒素などのガス、混合ガスであってもよい。
【実施例】
【００３４】
以下、実施例を用いて本実施形態の効果を詳細に説明する。まず、交絡付与装置において、排気穴の有無によって交絡付与装置の外へ排気される圧縮空気の排気圧力の変化を測定した。
【００３５】
本検討では、図１、図２に示す交絡付与装置を使用した。実施例１の排気穴１８の孔径Ｄ１は３ｍｍの円形形状とした。距離Ｔ２は３ｍｍとした。また、流体噴射孔１５の噴射孔径は直径０．９ｍｍの円形、２つの流体噴射孔１５の中心軸ＣＡ、ＣＢを含む平面は走行する糸条に対して垂直であり、ＣＡとＣＢとがなす角度は９０度、糸道長さＬは１２ｍｍ、噴射壁面２１と対向壁面２２は糸条走行方向の上流側、下流側に向かって拡大せず、平行な形状で、且つ平滑な面とした。また、噴射壁面２１と対向壁面２２との間隙を調整するスペーサ厚みＨは０．２ｍｍとした。比較例１は、排気穴１８が無い以外は全て実施例１と同一の構成および寸法とした。
【００３６】
（１）交絡付与装置の出口側と入口側の排気圧力：
流体噴出孔１５から圧縮空気を噴射したときの、交絡付与装置の糸条走行方向の上流側の排気圧力Ｐ１と、下流側の排気圧力Ｐ２の測定を実施した。図１２に排気圧力の測定の概略図を示す。Ｐ１、Ｐ２は圧力計を示し、Ｌ１は交絡付与装置の重心点Ｇ1からそれぞれＰ１、Ｐ２の圧力計までの距離である。排気圧力の測定には、日本電産コパル電子株式会社製  ハンディーマノメーターＰＧ−１００を用いて、距離Ｌ１は９ｍｍとした。
【００３７】
流体噴射の設定圧力は０．２、０．３、０．４、０．５ＭＰaの条件とし、その際の各圧力での測定結果と、排気圧力差ΔＰ（＝Ｐ２−Ｐ１）を表１に表記した。
【００３８】
（２）集束性（交絡数の測定と判定）：
実施例、及び比較例で得られたマルチフィラメント糸について交絡数を測定した。測定装置にはロッシールド社製自動連続交絡度試験器Ｒ−２０７２を用いた。プリテンションを１０ｃＮ、トリップテンションを１７ｃＮに設定し、設定係数交絡部数を２０個として試料糸を走行させて、交絡部が２０個カウントされるまでに要した糸長さ（走行糸長さ）を測定し、交絡部から次の交絡部までの長さの平均値を求めた。
【００３９】
更に、上記長さの平均値から糸長さ１ｍ当たりの交絡の個数に換算し、この換算値を「糸長さ１ｍあたりの交絡数」として求めた。測定にあたっては、ｎ数を２０回としてその平均値を求めた。
【００４０】
交絡数についての判定は、糸１ｍ当たりの交絡数が３個未満を「不良」として表２では「×」で表記し、３個以上６個未満を「やや未達」として表２では「△」で表記し、６個以上１０個未満を「良」として表２では○で表記し、１０個以上を「最良」として表２では「◎」で表記した。「最良」と「良」を合格とし、「やや未達」と「不良」は不合格とした。
【００４１】
（３）パッケージ品位（毛羽数の測定と判定）：
実施例、比較例で得られたマルチフィラメント糸について毛羽数を測定した。測定装置には東レ・エンジニアリング株式会社製毛羽計数装置ＤＴ-１０５を用いた。Ｓ型検出器により検出高さを０．５ｍｍに設定し、パッケージの解舒速度を５００ｍ／分として、１０,０００ｍの糸長さについて測定し、そのまま糸１０, ０００ｍ長さ当たりに存在する毛羽数として求めた。
【００４２】
毛羽数についての判定は、糸１０，０００ｍ長さ当たりの毛羽数が３個以上を「不良」として表２では「×」で表記し、１．５個以上３個未満を「やや未達」として表２では「△」で表記し、1個以上１．５個未満のものを「良」として表２では「○」で表記し、1個未満を「最良」として「◎」で表記した。「最良」と「良」を合格とし、「やや未達」と「不良」は不合格とした。
【００４３】
（４）総合評価：
総合評価は、集束性とパッケージ品位の双方の判定結果の低い方を総合評価の判定に反映した。「最良」と「良」を合格とし、「やや未達」と「不良」は不合格とした。  実施例１〜７、比較例１における交絡付与装置の構成と、集束性、パッケージ品位および総合評価の結果を表２に示す。
【００４４】
（実施例１、比較例１）
実施例１および比較例１の交絡付与装置を用いて、図１１に示した工程概要で実際にマルチフィラメント糸を採取した。８４デシテックス、フィラメント数３６本の異型断面のポリエチレンテレフタレートを溶融紡糸して流体交絡処理に供し、巻取速度３０００ｍ/分で巻き取りマルチフィラメント糸を採取した。流体噴射の設定圧力は０．３ＭＰaとした。
【００４５】
（実施例２、実施例３）
実施例２にて、流体噴射ノズル部材に中央溝を設置した場合の効果、ならびに実施例３にて対向壁面の絞り部を設置した場合の効果について、説明する。実施例２では、中央溝（体積９ｍｍ３のＶ溝形状）を配置した以外は実施例１と同じである。実施例３では、噴射壁面と対向壁面との間に、流体噴射孔よりも糸条走行方向の上流側に噴射壁面と対向壁面の間隙が短くなる絞り部を配置し、対向壁面が糸条走行方向の下流側、上流側に向かって拡大していく形状とした以外は実施例２と同じである。また、絞り部における噴射壁面と対向壁面の間隙はスペーサ厚みＨの０．２ｍｍとし、噴射壁面は走行する糸条の走行軸Ｙと平行で平滑な面とした。中央溝、絞り部以外は、実施例１と同じ交絡付与装置を用いて、同じ条件にてマルチフィラメント糸を採取した。
【００４６】
（実施例４、実施例５、実施例６、実施例７）
実施例４、５、６、７では、式（１）０．６≦Ｔ２／Ｄ１≦１．４の効果について、説明する。実施例４のＴ２は１．８ｍｍ、実施例５のＴ２は４．２ｍｍ、実施例６のＴ２は０．９ｍｍ、実施例７Ｔ２は５．４ｍｍとした以外は、実施例１と同じ交絡付与装置を用いて、同じ条件にてマルチフィラメント糸を採取した。
【００４７】
【表１】
2018127737.tif 000003
【００４８】
表１から下記の結論が得られた。実施例１の交絡付与装置は、排気穴が設けられていることで排気穴から圧縮空気を排気することで、流体噴出孔からの噴出圧力が低圧（０．２ＭＰａ）から高圧（０．５ＭＰａ）にかけて、入口側の排気圧力Ｐ１が出口側の排気圧力Ｐ２よりも低くなり、糸条走行方向の上流側に流れる圧縮空気を抑制できている。一方、比較例１の交絡付与装置は、排気穴が設けられておらず、流体噴出孔からの噴出圧力に関わらず入口側の排気圧力Ｐ１と出口側の排気圧力Ｐ２はほぼ同等であり、排気穴のある実施例１に比べて糸条走行方向の上流側に流れる圧縮空気が多い。
【００４９】
【表２】
2018127737.tif 000004
【００５０】
表２から下記の結論が得られた。実施例１では、交絡数１１．６ヶ／ｍ、毛羽数０．５ヶ／ｍとなり、集束性、パッケージ品位共に「最良」の評価となった。実施例１の構成に中央溝を設けた実施例２では、実施例１よりも交絡数は増加して１４．３ヶ／ｍとなり、一方で毛羽数は減少して０．３ヶ／ｍとなり、集束性、パッケージ品位も共に「最良」の評価となった。実施例２の構成に絞り部を設けた実施例３では、交絡数は１２．４ヶ／ｍで実施例２よりも減ったものの、毛羽数はさらに減少して０ヶ／ｍとなり、集束性、パッケージ品位共に「最良」の評価となった。
【００５１】
実施例４では、実施例１に比べてＴ２／Ｄ１の値が小さくなったので、実施例１に比べて交絡数は若干低下して１０．４ヶ／ｍとなったが、毛羽数は０．４ヶ／ｍであり、集束性、パッケージ品位共に「最良」の評価のままであった。実施例６では、Ｔ２／Ｄ１の値が０．６未満となったので更に交絡数は低下して８．１ヶ／ｍで、集束性の評価は「良」となったが、毛羽数は０．５ヶ／ｍであり、パッケージ品位は「最良」の評価のままであった。
【００５２】
実施例５では、実施例１に比べてＴ２／Ｄ１の値が大きくなったので、実施例１に比べて毛羽数は若干増加して０．７ヶ／ｍとなったが、交絡数は１０．１ケ／ｍであり、集束性、パッケージ品位共に「最良」の評価のままであった。実施例７では、Ｔ２／Ｄ１の値が１．４より大きくなったので、更に毛羽数が増加して１．３ヶ／ｍで、パッケージ品位の評価は「良」となったが、交絡数は１２ヶ／ｍであり、集束性は「最良」の評価のままであった。
【符号の説明】
【００５３】
１：交絡付与装置
１１：流体供給部 
１２：流体噴射ノズル部材
１３：側板部材 
１４：スペーサ
１５：流体噴射孔
１６：スリット部
１７：糸道部
１８：排気穴 
１９：流体導入路
２０：流体供給路
２１：噴射孔面
２２：対向壁面
２３：中央溝
３１：給油ガイド 
３２：第１ホットローラユニット
３３：第２ホットローラユニット
３４：巻取機
Ｇ１：糸道部１７の重心点
Ｌ：糸道長さ
Ｔ：糸条走行方向の上流側の糸道部開始地点から中央溝開始地点までの距離
Ｙ：糸条の走行軸
Ｈ：スペーサの厚み
ＣＡ：流体噴射孔１５の中心軸
ＣＢ：流体噴射孔１５の中心軸
【図１】
2018127737.tif 000005
【図２】
2018127737.tif 000006
【図３】
2018127737.tif 000007
【図４】
2018127737.tif 000008
【図５】
2018127737.tif 000009
【図６】
2018127737.tif 000010
【図７】
2018127737.tif 000011
【図８】
2018127737.tif 000012
【図９】
2018127737.tif 000013
【図１０】
2018127737.tif 000014
【図１１】
2018127737.tif 000015
【図１２】
2018127737.tif 000016